(57)【要約】【課題】  通常運用時に切替元装置へかかる負荷及びネットワークにかかる負荷を少なくすることが可能な冗長構成システムを提供する。【解決手段】  ＳＮ管理部１３，２３は対向装置３とのＳＮの同期をとるための機能を具備している。切替元装置１の冗長管理部１５は通常運用時にＳＮがある値になった場合に切替先装置２に通知する機能と、秘匿部１４から通知を受けた場合にＳＮを切替先装置２に通知する機能とを具備している。切替先装置２の冗長管理部２５は通常運用時に切替元装置１の冗長管理部１５からＳＮの通知を受けた場合にＳＮを記憶する機能と、上位装置４から切替えが指示された際に、記憶しているＳＮにｎ／２を加算した値をＳＮ管理部２３に通知する機能と、ＳＮ値を加算することによる状態の変化を秘匿部２４へ通知する機能とを具備している。【選択図】      図１
2006324833.tif 000002
【特許請求の範囲】
【請求項１】
冗長構成の切替え元装置及び切替え先装置と対向装置とのコネクション維持のためにシーケンシャルなシーケンスス番号管理を必要とし、管理するシーケンス番号が送達非確認である冗長構成システムであって、
前記切替え元装置は、予め設定された一定間隔で前記シーケンス番号を前記切替え先装置に送信する手段を有し、
前記切替先装置は、前記切替え元装置から前記一定間隔で送信されてくるシーケンス番号を記憶する手段と、前記切替え元装置との切替え時にその間隔分だけ記憶しているシーケンス番号を進める手段とを有することを特徴とする冗長構成システム。
【請求項２】
前記シーケンス番号を前記切替え先装置に送信する手段は、０と前記シーケンス番号の最大値の半分の値とを前記切替え先装置に送信し、
前記切替え時にその間隔分だけ記憶しているシーケンス番号を進める手段は、前記シーケンス番号の最大値の半分の値だけ記憶しているシーケンス番号を進めることを特徴とする請求項１記載の冗長構成システム。
【請求項３】
前記シーケンス番号を前記切替え先装置に送信する手段は、０と前記シーケンス番号の最大値の１／ｍ（ｍは３以上の正の整数）の倍数の値とを前記切替え先装置に送信し、
前記切替え時にその間隔分だけ記憶しているシーケンス番号を進める手段は、前記シーケンス番号の最大値の１／ｍの値だけ記憶しているシーケンス番号を進めることを特徴とする請求項１記載の冗長構成システム。
【請求項４】
１：１及びＮ：Ｍ（Ｎ，Ｍは自然数）のいずれかの冗長構成としたことを特徴とする請求項１から請求項３のいずれか記載の冗長構成システム。
【請求項５】
前記シーケンス番号が一巡すると値を１加算するパラメータを管理し、そのパラメータを使用して前記対向装置との送受信データを秘匿及び秘匿解除する秘匿状態更新のタイミングで前記シーケンス番号を通知することで前記秘匿状態の同期を行うことを特徴とする請求項１から請求項４のいずれか記載の冗長構成システム。
【請求項６】
無線基地局制御装置と携帯電話端末とが互いに終端しているＲＬＣ（Ｒａｄｉｏ  ｌｉｎｋ  Ｃｏｎｔｒｏｌ）コネクションにおいて、前記無線基地局制御装置に障害が起きた場合に前記ＲＬＣコネクションを維持したまま装置の切替えを行う携帯電話システムであることを特徴とする請求項１から請求項５のいずれか記載の冗長構成システム。
【請求項７】
冗長構成の切替え元装置及び切替え先装置と対向装置とのコネクション維持のためにシーケンシャルなシーケンスス番号管理を必要とし、管理するシーケンス番号が送達非確認である冗長構成システムにおいて前記切替え元装置及び前記切替え先装置のいずれかとして用いられる通信処理装置であって、
前記切替え元装置として用いられる時に予め設定された一定間隔で前記シーケンス番号を前記切替え先装置に送信する手段と、前記切替先装置として用いられる時に前記切替え元装置から前記一定間隔で送信されてくるシーケンス番号を記憶する手段と、前記切替先装置として用いられる時に前記切替え元装置との切替え時にその間隔分だけ記憶しているシーケンス番号を進める手段とを有することを特徴とする通信処理装置。
【請求項８】
前記シーケンス番号を前記切替え先装置に送信する手段は、０と前記シーケンス番号の最大値の半分の値とを前記切替え先装置に送信し、
前記切替え時にその間隔分だけ記憶しているシーケンス番号を進める手段は、前記シーケンス番号の最大値の半分の値だけ記憶しているシーケンス番号を進めることを特徴とする請求項７記載の通信処理装置。
【請求項９】
前記シーケンス番号を前記切替え先装置に送信する手段は、０と前記シーケンス番号の最大値の１／ｍ（ｍは３以上の正の整数）の倍数の値とを前記切替え先装置に送信し、
前記切替え時にその間隔分だけ記憶しているシーケンス番号を進める手段は、前記シーケンス番号の最大値の１／ｍの値だけ記憶しているシーケンス番号を進めることを特徴とする請求項７記載の通信処理装置。
【請求項１０】
前記冗長構成システムを１：１及びＮ：Ｍ（Ｎ，Ｍは自然数）のいずれかの冗長構成としたことを特徴とする請求項７から請求項９のいずれか記載の通信処理装置。
【請求項１１】
前記シーケンス番号が一巡すると値を１加算するパラメータを管理し、そのパラメータを使用して前記対向装置との送受信データを秘匿及び秘匿解除する秘匿状態更新のタイミングで前記シーケンス番号を通知することで前記秘匿状態の同期を行うことを特徴とする請求項７から請求項１０のいずれか記載の通信処理装置。
【請求項１２】
前記冗長構成システムが無線基地局制御装置と携帯電話端末とが互いに終端しているＲＬＣ（Ｒａｄｉｏ  ｌｉｎｋ  Ｃｏｎｔｒｏｌ）コネクションにおいて、前記無線基地局制御装置に障害が起きた場合に前記ＲＬＣコネクションを維持したまま装置の切替えを行う携帯電話システムであることを特徴とする請求項７から請求項１１のいずれか記載の通信処理装置。
【請求項１３】
冗長構成の切替え元装置及び切替え先装置と対向装置とのコネクション維持のためにシーケンシャルなシーケンスス番号管理を必要とし、管理するシーケンス番号が送達非確認である冗長構成システムに用いられる送達非確認コネクション切替方法であって、
前記切替え元装置が、予め設定された一定間隔で前記シーケンス番号を前記切替え先装置に送信し、
前記切替先装置が、前記切替え元装置から前記一定間隔で送信されてくるシーケンス番号を記憶し、前記切替え元装置との切替え時にその間隔分だけ記憶しているシーケンス番号を進めることを特徴とする送達非確認コネクション切替方法。
【請求項１４】
前記シーケンス番号を前記切替え先装置に送信する際に、０と前記シーケンス番号の最大値の半分の値とを前記切替え先装置に送信し、
前記切替え時にその間隔分だけ記憶しているシーケンス番号を進める際に、前記シーケンス番号の最大値の半分の値だけ記憶しているシーケンス番号を進めることを特徴とする請求項１３記載の送達非確認コネクション切替方法。
【請求項１５】
前記シーケンス番号を前記切替え先装置に送信する際に、０と前記シーケンス番号の最大値の１／ｍ（ｍは３以上の正の整数）の倍数の値とを前記切替え先装置に送信し、
前記切替え時にその間隔分だけ記憶しているシーケンス番号を進める際に、前記シーケンス番号の最大値の１／ｍの値だけ記憶しているシーケンス番号を進めることを特徴とする請求項１３記載の送達非確認コネクション切替方法。
【請求項１６】
前記冗長構成システムを１：１及びＮ：Ｍ（Ｎ，Ｍは自然数）のいずれかの冗長構成としたことを特徴とする請求項１３から請求項１５のいずれか記載の送達非確認コネクション切替方法。
【請求項１７】
前記シーケンス番号が一巡すると値を１加算するパラメータを管理し、そのパラメータを使用して前記対向装置との送受信データを秘匿及び秘匿解除する秘匿状態更新のタイミングで前記シーケンス番号を通知することで前記秘匿状態の同期を行うことを特徴とする請求項１３から請求項１６のいずれか記載の送達非確認コネクション切替方法。
【請求項１８】
前記冗長構成システムが無線基地局制御装置と携帯電話端末とが互いに終端しているＲＬＣ（Ｒａｄｉｏ  ｌｉｎｋ  Ｃｏｎｔｒｏｌ）コネクションにおいて、前記無線基地局制御装置に障害が起きた場合に前記ＲＬＣコネクションを維持したまま装置の切替えを行う携帯電話システムであることを特徴とする請求項１３から請求項１７のいずれか記載の送達非確認コネクション切替方法。
【発明の詳細な説明】
【技術分野】
【０００１】
本発明は冗長構成システム、通信処理装置及びそれらに用いる送達非確認コネクション切替方法に関し、特に携帯電話システムの冗長構成時における送達非確認コネクションの切替方法に関する。
【背景技術】
【０００２】
携帯電話システムにおいては、ＲＮＣ（Ｒａｄｉｏ  Ｎｅｔｗｏｒｋ  Ｃｏｎｔｒｏｌ  ｅｑｕｉｐｍｅｎｔ：無線基地局制御装置）とＵＥ（Ｕｓｅｒ  Ｅｑｕｉｐｍｅｎｔ：携帯電話端末）とが互いに終端しているＲＬＣ（Ｒａｄｉｏ  ｌｉｎｋ  Ｃｏｎｔｒｏｌ）コネクションに関して、ＲＮＣに障害が起きた場合に、ＲＬＣコネクションを維持したまま装置の切替えを行う必要がある（例えば、特許文献１参照）。
【０００３】
その際、ＲＬＣ−ＡＭ（ＲＬＣ−Ａｃｋｎｏｗｌｅｄｇｅ  Ｍｏｄｅ）エンティティにはリセット機能があるため、切替元装置と切替先装置とでＲＬＣ−ＡＭエンティティ内のＳＮ（Ｓｅｑｕｅｎｃｅ  Ｎｕｍｂｅｒ：シーケンス番号）情報を引き継がなくともコネクションを維持することができる。しかしながら、ＲＬＣ−ＵＭ（ＲＬＣ−Ｕｎａｃｋｎｏｗｌｅｄｇｅ  Ｍｏｄｅ）エンティティではリセット機能がないため、切替元装置と切替先装置とでＲＬＣ−ＵＭエンティティのＳＮ情報をＲＬＣデータのバッファとともに引き継ぐ必要がある。
【０００４】
【特許文献１】特開２００３−３３９０７５号公報
【発明の開示】
【発明が解決しようとする課題】
【０００５】
上述した従来の携帯電話システムでは、装置の切替え時に全情報を引き継ぐのにバッファの容量が多い場合、切替えに時間がかかり、上位プロトコルにてタイムアウトが発生し、コネクションが切断される恐れがある。また、従来の携帯電話システムでは、通常運用時に情報の引継ぎを常に行う場合、切替元装置への負荷が大きくなり、本来の処理が遅くなるという問題がある。
【０００６】
つまり、従来の携帯電話システムでは、送達非確認（ＵＭ）なＳＮを運用装置と対向装置とで互いに管理している運用中の装置が、冗長装置へ切替えを行う場合、通常運用時に必要な情報を切替元装置と切替先装置とで同期させるか、切替え時に必要な情報を同期させるか、切替え時にシーケンス番号をリセットする方法が用いられている。
【０００７】
しかしながら、通常運用時に必要な情報を切替元装置と切替先装置とで同期させる場合、切替元装置と切替先装置とで頻繁に情報通知が行われるため、運用中の装置へ過大な負荷がかかるという問題と、通信を行うネットワークに過大な負荷がかかるという問題とがある。
【０００８】
また、切替え時に必要な情報を同期する場合には、切替え時に必要なデータ全ての引継ぎを行うため、切替えに時間がかかり、コネクション自体がタイムアウトして切断されてしまうという問題があり、かつ切替え時に切替元装置が正常に動作している必要があり、障害による切替えの際にデータの引き継ぎを行うことができず、コネクションが切断されてしまうという問題がある。
【０００９】
さらに、切替え時にシーケンス番号をリセットする方法では、３ＧＰＰ（３ｒｄ  Ｇｅｎｅｒａｔｉｏｎ  Ｐａｒｔｎｅｒｓｈｉｐ  Ｐｒｏｊｅｃｔ）で定義されるＲＬＣのＵＭのように、ＳＮをリセットする手段を具備していないコネクションの場合に対応することができないという問題がある。
【００１０】
そこで、本発明の目的は上記の問題点を解消し、通常運用時に切替元装置へかかる負荷及びネットワークにかかる負荷を少なくすることができる冗長構成システム、通信処理装置及びそれらに用いる送達非確認コネクション切替方法を提供することにある。
【課題を解決するための手段】
【００１１】
本発明による冗長構成システムは、冗長構成の切替え元装置及び切替え先装置と対向装置とのコネクション維持のためにシーケンシャルなシーケンスス番号管理を必要とし、管理するシーケンス番号が送達非確認である冗長構成システムであって、
前記切替え元装置は、予め設定された一定間隔で前記シーケンス番号を前記切替え先装置に送信する手段を有し、
前記切替先装置は、前記切替え元装置から前記一定間隔で送信されてくるシーケンス番号を記憶する手段と、前記切替え元装置との切替え時にその間隔分だけ記憶しているシーケンス番号を進める手段とを備えている。
【００１２】
本発明による通信処理装置は、冗長構成の切替え元装置及び切替え先装置と対向装置とのコネクション維持のためにシーケンシャルなシーケンスス番号管理を必要とし、管理するシーケンス番号が送達非確認である冗長構成システムにおいて前記切替え元装置及び前記切替え先装置のいずれかとして用いられる通信処理装置であって、
前記切替え元装置として用いられる時に予め設定された一定間隔で前記シーケンス番号を前記切替え先装置に送信する手段と、前記切替先装置として用いられる時に前記切替え元装置から前記一定間隔で送信されてくるシーケンス番号を記憶する手段と、前記切替先装置として用いられる時に前記切替え元装置との切替え時にその間隔分だけ記憶しているシーケンス番号を進める手段とを備えている。
【００１３】
本発明による送達非確認コネクション切替方法は、冗長構成の切替え元装置及び切替え先装置と対向装置とのコネクション維持のためにシーケンシャルなシーケンスス番号管理を必要とし、管理するシーケンス番号が送達非確認である冗長構成システムに用いられる送達非確認コネクション切替方法であって、
前記切替え元装置が、予め設定された一定間隔で前記シーケンス番号を前記切替え先装置に送信し、
前記切替先装置が、前記切替え元装置から前記一定間隔で送信されてくるシーケンス番号を記憶し、前記切替え元装置との切替え時にその間隔分だけ記憶しているシーケンス番号を進めている。
【００１４】
すなわち、本発明の冗長構成システムは、１：１またはＮ：Ｍ（Ｎ，Ｍは自然数）構成の冗長機能を持ち、対向装置とのコネクション維持のためにシーケンシャルな番号管理を必要とし、管理するシーケンシャル番号が送達非確認である通信装置を含むシステムにおいて、通常運用時の切替元装置への負荷を少なくし、コネクション切断をすることなく、装置の切替えを行うことを特徴としている。
【００１５】
より具体的に説明すると、本発明の冗長構成システムでは、通常運用時、切替元装置はＳＮ（Ｓｅｑｕｅｎｃｅ  Ｎｕｍｂｅｒ：シーケンス番号、ＳＮは自然数）が０及びｎ／２の時に、ＳＮを切替先装置に通知し、切替先装置は通知を受けたＳＮを記憶する。切替え発生時、切替元装置から切替先装置へはＳＮの通知を行わず、切替先装置にて記憶している最新のＳＮにｎ／２（ｎは自然数で、２の倍数）を加算し、それを使用する。
【００１６】
上記のように、本発明の冗長構成システムでは、通常運用時に切替元装置から切替先装置へ通知するＳＮを０及びｎ／２のみにすることで、切替元装置から切替先装置への通知を少なくすることが可能となり、通常運用時の装置への負荷を低減することが可能となる。また、本発明の冗長構成システムでは、切替え時にＳＮを切替元装置から切替先装置へ通知する必要がないので、切替えを瞬時に行うことが可能となる。
【００１７】
つまり、本発明の冗長構成システムでは、通常運用時に切替元装置から切替先装置へ、一定の間隔でＳＮを通知する。ＳＮを通知する間隔は、ＳＮの最大値がｎ−１（ｎは２の倍数）の場合、ＳＮ＝０及びＳＮ＝ｎ／２である。ＳＮの通知を受けた切替先装置はＳＮを内部に記憶する。これによって、本発明の冗長構成システムでは、通常運用時に切替元装置から切替先装置へ通知する情報量を２／ｎにすることが可能となる。
【００１８】
切替え時、切替先装置では切替元装置から通知を受けている最新のＳＮを読出し、その値にｎ／２を加算した値を記憶し、切替え後、ＳＮを使用する際に、切替え時に記憶した値を使用する。これによって、本発明の冗長構成システムでは、切替え時に切替元装置から切替先装置へＳＮを引き継ぐ必要がなくなるため、切替え時間を短縮することが可能となり、コネクションのタイムアウトによる切断を防ぐことが可能となる。
【００１９】
また、切替元装置に障害が起き運用が不可になった場合でも、切替え時にＳＮを引き継ぐ必要がないため、対向装置とのＳＮの非同期によるコネクション切断を防ぐことが可能となる。
【００２０】
さらに、本発明の冗長構成システムでは、切替え後に対向装置と同期を取るために、ＳＮのリセットする手段を具備していない場合でも、切替先装置から送信するデータのＳＮを切替え後に一律ｎ／２進めることによって、対向装置とＳＮの同期を取ることが可能となる。
【発明の効果】
【００２１】
本発明は、以下に述べるような構成及び動作とすることで、通常運用時に切替元装置へかかる負荷及びネットワークにかかる負荷を少なくすることができるという効果が得られる。
【発明を実施するための最良の形態】
【００２２】
次に、本発明の実施例について図面を参照して説明する。図１は本発明の一実施例による冗長構成システムの構成を示すブロック図であり、図２はＳＮ（Ｓｅｑｕｅｎｃｅ  Ｎｕｍｂｅｒ：シーケンス番号、ＳＮは自然数）とＨＦＮ（Ｈｙｐｅｒ  Ｆｒａｍｅ  Ｎｕｍｂｅｒ）との関係を示す図である。図１においては、１：１冗長構成のシステムを図示している。
【００２３】
本発明の一実施例による冗長構成システムは切替元装置１と、切替先装置２と、対向装置３と、上位装置４とから構成されている。切替元装置１は運用中の装置を示し、対向装置３とデータ通信を行っている。切替先装置２は運用中の切替元装置１の予備として待機している。
【００２４】
上位装置４は切替元装置１と切替先装置２とを制御しており、切替元装置１で障害が発生した場合、または上位装置４の都合によって切替元装置１から切替先装置２へ切替えを行う際に、トリガを与える機能を具備している。
【００２５】
切替元装置１及び切替先装置２はそれぞれ上位レイヤ部１１，２１と、送受信処理部１２，２２と、ＳＮ管理部１３，２３と、秘匿部１４，２４と、冗長管理部１５，２５とから構成されている。
【００２６】
上位レイヤ部１１，２１は切替元装置１及び切替先装置２内の各機能の制御を行う機能を具備している。送受信処理部１２，２２は対向装置３及び上位装置４とのデータ送受信機能を具備している。ＳＮ管理部１３，２３は対向装置３とのＳＮの同期をとるための機能を具備している。
【００２７】
秘匿部１４，２４は、図２に示すように、ＳＮが一巡すると値を１加算するパラメータであるＨＦＮを管理する機能と、ＨＦＮを使用して対向装置３との送受信データを秘匿及び秘匿解除する機能と、秘匿部１４，２４内の状態が変化した場合に冗長管理部１５，２５に通知する機能とを具備している。
【００２８】
切替元装置１の冗長管理部１５は通常運用時にＳＮがある値になった場合に切替先装置２に通知する機能と、秘匿部１４から通知を受けた場合にＳＮを切替先装置２に通知する機能とを具備している。切替先装置２の冗長管理部２５は通常運用時に切替元装置１の冗長管理部１５からＳＮの通知を受けた場合にＳＮを記憶する機能と、上位装置４から切替えが指示された際に、記憶しているＳＮにｎ／２を加算した値をＳＮ管理部２３に通知する機能と、ＳＮ値を加算することによる状態の変化を秘匿部２４へ通知する機能とを具備している。
【００２９】
ＳＮ管理部１３，２３は対向装置３と送達非確認（ＵＭ：Ｕｎａｃｋｎｏｗｌｅｄｇｅ  Ｍｏｄｅ）なＳＮを同期する機能を具備しており、対向装置３から受信したデータのＳＮが飛んでいる場合にそれを検出し、データの破棄を行う機能とを具備している。
【００３０】
図３は本発明の一実施例による冗長構成システムによる切替え動作を示すシーケンスチャートである。これら図１〜図３を参照して本発明の一実施例による冗長構成システムによる切替え動作について説明する。以下、切替元装置１と切替先装置２とで切替えが行われ、管理しているＳＮの最大値がｎ−１の場合の動作について説明する。
【００３１】
対向装置３との間でＳＮを使ってデータ通信を行っている切替元装置１は、ＳＮ＝０のデータを対向装置３へ送信した場合、切替先装置２にＳＮ＝０を通知する。ＳＮ＝０の通知を受けた切替先装置２では、冗長管理部２５にてＳＮ＝０を記憶する。ＳＮ＝０の送信が通知されることによって、秘匿部２４の情報を更新する必要がある場合にはその情報を更新する。切替元装置１はＳＮ＝１〜ＳＮ＝ｎ／２−１のデータを送信した場合、それらＳＮ＝１〜ＳＮ＝ｎ／２−１を切替先装置２に通知する必要はない。
【００３２】
切替元装置１はＳＮ＝ｎ／２を対向装置３に送信した場合、切替先装置２にＳＮ＝ｎ／２を通知する。ＳＮ＝ｎ／２の通知を受けた切替先装置１では、冗長管理部２５にてＳＮ＝ｎ／２を記憶する。ＳＮ＝ｎ／２の送信が通知されることによって、秘匿部２４の情報を更新する必要がある場合にはその情報を更新する。切替元装置１はＳＮ＝ｎ／２＋１〜ＳＮ＝ｎ−１のデータを送信した場合、ＳＮ＝ｎ／２＋１〜ＳＮ＝ｎ−１を切替先装置１に通知する必要はない。
【００３３】
切替元装置１はＳＮ＝ｘ（ｎ／２＜ｘ≦ｎ−１）のデータを送信した後に切替えが起きた場合、対向装置３ではＳＮ＝ｘを記憶しており（図３のａ１参照）、切替先装置２ではＳＮ＝ｎ／２を記憶している状態である。切替先装置２では上位装置４から切替えが指示されると、冗長管理部２５にて記憶しているＳＮ＝ｎ／２にｎ／２を加算してからＳＮ管理部２３へ通知し、ＳＮ管理部２３はそれを記憶する。冗長管理部２５はＳＮを更新することによって秘匿部２４の状態を遷移する必要がある場合にそれを判断し、秘匿部２４の状態を更新する（図３のａ２参照）。
【００３４】
切替先装置２で切替え後の初回送信の場合、ＳＮ＝ｎ／２＋ｎ／２＝０のデータを対向装置３へ送信する（図３のａ３参照）。その際、ＨＦＮはＳＮが一巡したことで１加算され、加算されたＨＦＮを使用して切替先装置２の秘匿部２４は秘匿をかける。
【００３５】
対向装置３では、ＳＮ＝０のデータを受信した際、装置内のＳＮがｘとなっており、ｘがｎ−１の場合にはデータの抜けがなく連続的に受信したと判断し、ｘがｎ−１以外の場合にＳＮ＝ｘ＋１〜ＳＮ＝ｎ−１のデータが抜けていると判断する。また、対向装置３では、ＳＮ＝０を受信すると、ＳＮが一巡して０をまたぐので、ＨＦＮが１加算され、加算されたＨＦＮを使用して受信したデータの秘匿解除を行う。
【００３６】
このように、本実施例では、切替元装置１と切替先装置２との間で通知するＳＮとして０とｎ／２とを送信すれば、装置の切替えのための必要条件を満たすので、全てのＳＮを通知する必要がない。これによって、本実施例では、通常運用時に切替元装置１へかかる負荷及び図示せぬネットワークにかかる負荷を少なくすることができる。
【００３７】
また、本実施例では、通常運用時に切替元装置１から切替先装置２にＳＮの通知を行っているので、切替え時にＳＮ情報の通知を行う必要がないため、障害切替え等の切替え時に切替元装置１から切替先装置２へＳＮ情報の通知ができない場合でも、コネクションを切断することなく、装置の切替えを行うことができる。
【００３８】
さらに、本実施例では、ＨＦＮの更新タイミングがＳＮが一巡して０をまたいだ時であるが、ＳＮ＝０とＳＮ＝ｎ／２との通知を行っているため、切替え時に対向装置３にてＳＮ＝０のデータを受信できない場合でも、次に受信したデータのＳＮがｎ／２Ｓよりも小さければ、０をまたいだと判断することができ、ＨＦＮの更新を行うことができる。
【００３９】
さらにまた、本実施例では、切替え前後で、「ターゲット装置（切替元装置１と切替先装置２との総称）のＳＮ＞対向装置３のＳＮ」の関係を崩すと、ＨＦＮ更新のタイミングがターゲット装置と対向装置３とで同期がとれない。しかしながら、本実施例では、切替元装置１から切替先装置２へＳＮ＝０、ｎ／２の通知を行うので、対向装置３へ未到達となるデータの個数がｎ／２個までは、「ターゲット装置ＳＮ＞対向装置３のＳＮ」を崩すことはない。このｎ／２はＳＮの中間値であり、切替え前に連続未到達となる最大許容数と、切替え後に連続未到達となる最大許容数とが同値で、かつ最大となる値である。
【００４０】
図４は本発明の他の実施例による冗長構成システムの構成を示すブロック図である。本発明の他の実施例では、その基本構成が上記の本発明の一実施例と同様であるが、切替元装置と切替先装置との割合についてさらに工夫している。つまり、本実施例では、図４に示すように、切替元装置Ａ５と切替元装置Ｂ６との２台の切替元装置としている。
【００４１】
本発明の他の実施例による冗長構成システムは切替元装置Ａ５と、切替元装置Ｂ６と、切替先装置７と、対向装置Ａ８と、対向装置Ｂ９と、上位装置４とから構成されている。
【００４２】
切替元装置Ａ５及び切替元装置Ｂ６と切替先装置７とはそれぞれ上位レイヤ部５１，６１，７１と、送受信処理部５２，６２，７２と、ＳＮ管理部５３，６３，７３と、秘匿部５４，６４，７４と、冗長管理部５５，６５，７５とから構成されている。
【００４３】
切替元装置Ａ５及び切替元装置Ｂ６の基本動作は、上述した本発明の一実施例と同様であるが、切替先装置７には切替元装置Ａ５と切替元装置Ｂ６との両方からＳＮ情報が通知される。
【００４４】
切替先装置７は切替元装置Ａ５及び切替元装置Ｂ６から通知されるＳＮ情報を切替元装置Ａ５と切替元装置Ｂ６との２つに分けて記憶する。そのため、図１に示す１：１冗長構成の冗長にくらべ、図４に示す２：１冗長構成の冗長は記憶部の容量が大きい。
【００４５】
このように、本実施例では切替先装置７の冗長が切替元装置Ａ５と切替元装置Ｂ６との両方のＳＮ情報を記憶しているため、切替元装置Ａ５または切替元装置Ｂ６の両方と切替えを行うことができるという効果が得られる。
【００４６】
本発明の別の実施例は、その基本構成が上記の本発明の一実施例と同様であるが、切替元装置から切替先装置へのＳＮの通知をさらに工夫して、秘匿状態更新時に行うこともできる。
【００４７】
その場合には、切替元装置でのデータの送信によって秘匿状態が更新された時、そのデータで使用したＳＮを切替先装置へ通知する。その後、切替えが起きた場合、切替先装置では秘匿状態更新時のＳＮを記憶しているので、その記憶した値にｎ／２を加算した値から切替え後のデータ送信を開始する。
【００４８】
これによって、本実施例では、全データの送信情報を切替先装置へ通知することなく、切替元装置と切替先装置とで秘匿状態の同期を行うことができるという効果が得られる。
【００４９】
尚、本発明の各実施例では、ＳＮの同期の間隔を２回としているが、ＳＮの最大値を４分割し、ＳＮの同期の間隔を４回としてもよい。その場合、切替え時に進めるＳＮは最大値／４となる。つまり、本発明では、ＳＮの最大値をｍ（ｍは３以上の正の整数）の分割し、ＳＮの同期の間隔をｍ回としてもよい。その場合、切替え時に進めるＳＮは最大値／ｍとなり、各回に通知するＳＮは最大値／ｍの倍数となる。
【産業上の利用可能性】
【００５０】
本発明は、３ＧＰＰ（３ｒｄ  Ｇｅｎｅｒａｔｉｏｎ  Ｐａｒｔｎｅｒｓｈｉｐ  Ｐｒｏｊｅｃｔ）携帯電話システムにおいて、ＲＮＣ（Ｒａｄｉｏ  Ｎｅｔｗｏｒｋ  Ｃｏｎｔｒｏｌ  ｅｑｕｉｐｍｅｎｔ：無線基地局制御装置）の一部機能であるＲＬＣ（Ｒａｄｉｏ  ｌｉｎｋ  Ｃｏｎｔｒｏｌ）終端部の冗長構成を実現する場合に利用することができる。
【図面の簡単な説明】
【００５１】
【図１】本発明の一実施例による冗長構成システムの構成を示すブロック図である。
【図２】ＳＮとＨＦＮとの関係を示す図である。
【図３】本発明の一実施例による冗長構成システムによる切替え動作を示すシーケンスチャートである。
【図４】本発明の他の実施例による冗長構成システムの構成を示すブロック図である。
【符号の説明】
【００５２】
１  切替元装置
２，７  切替先装置
３  対向装置
４  上位装置
５  切替元装置Ａ
６  切替元装置Ｂ
８  対向装置Ａ
９  対向装置Ｂ
１１，２１，５１，
６１，７１  上位レイヤ部
１２，２２，５２，
６２，７２  送受信処理部
１３，２３，５３，
６３，７３  ＳＮ管理部
１４，２４，５４，
６４，７４  秘匿部
１５，２５，５５，
６５，７５  冗長管理部
【図１】
2006324833.tif 000003
【図２】
2006324833.tif 000004
【図３】
2006324833.tif 000005
【図４】
2006324833.tif 000006